(57)【要約】【課題】遊技領域を流下する遊技球の動きに対する関心を高めて、遊技の興趣を向上させ得る遊技機を提供する。【解決手段】第３盤面保護部材２１ｃに隣接して遊技盤２０に配設されたサイド装飾体３８が、遊技領域２０ａに臨んでいる。サイド装飾体３８の前構成部材４２に、パチンコ球を左側から右側に向かって転動させる転動面４３が設けられる。前構成部材４２に、遊技領域２０ａに開口する第２アウト口４７、第２普通入賞口４５、第３アウト口４９および特別入賞口５２が設けられる。特別入賞口５２は、開閉部材５４で閉閉される。第２アウト口４７、第２普通入賞口４５および第３アウト口４９は、特別入賞口５２より上流側に設けられる。【選択図】図３
2015097765.tif 000002
【特許請求の範囲】
【請求項１】
前面に配設されたレール部材により遊技球が流下する遊技領域が画成された遊技盤と、特定条件が成立したときに当りか否かの判定を行う当り判定手段とを備え、遊技球を前記遊技領域へ打ち出して遊技が行われるよう構成された遊技機において、
前記レール部材に隣接するよう遊技盤に配設されて前記遊技領域に臨む基部材と、
前記基部材の外側面に設けられ、前記遊技領域を流下する遊技球を受けて左右方向の一方の側から他方の側に向かって該遊技球を転動させる転動面と、
前記基部材の外側面に設けられて遊技領域に開口し、遊技球が入球可能なアウト口と、
前記基部材の外側面に設けられて遊技領域に開口し、遊技球が入賞可能な入賞口と、
前記基部材の外側面に設けられて遊技領域に開口し、遊技球が入賞可能な特定入賞口を開閉する開閉部材を前記当り判定手段の判定結果が肯定判定の場合に開放するよう構成される特定入賞部とを備え、
前記アウト口および入賞口は、特定入賞口より上流側に設けられる
ことを特徴とする遊技機。
【請求項２】
前記開閉部材は、前記特定入賞口への遊技球の入賞を阻止する閉位置と、該閉位置より後方に退避して前記特定入賞口への遊技球の入賞を許容する開位置との間を進退移動するよう構成され、閉位置の開閉部材の上面が前記転動面に連続して該転動面から開閉部材に遊技球が転動するよう構成される請求項１記載の遊技機。
【請求項３】
前記基部材に、前記閉位置の開閉部材の上方に張出して該開閉部材との間に左右方向に開口する球通路を画成する張出し部が設けられ、該張出し部と閉位置の開閉部材との離間間隔は、遊技球１個分の寸法より大きく、かつ遊技球２個分より小さな寸法に設定される請求項２記載の遊技機。
【請求項４】
前記基部材に、前記転動面から前記レール部材側に離間して該レール部材に重なるように延在する案内壁が設けられ、該案内壁と前記転動面との間に、前記アウト口に入球した遊技球が前側から視認可能な状態で転動する球案内通路が形成され、該球案内通路および案内壁を照明する発光装置を備える請求項１〜３の何れか一項に記載の遊技機。
【請求項５】
前記遊技盤に、開口部から図柄表示装置の表示部を前側に臨ませる枠状装飾体が配設され、前記基部材は、前記枠状装飾体より右側下部の遊技領域に臨むように前記遊技盤に配設される請求項１〜４の何れか一項に記載の遊技機。
【発明の詳細な説明】
【技術分野】
【０００１】
本発明は、遊技盤の前側に画成された遊技領域をパチンコ球が流下して遊技が行われる遊技機に関するものである。
【背景技術】
【０００２】
代表的な遊技機であるパチンコ機は、機内にセットされる遊技盤の盤面に画成した遊技領域の略中央位置に枠状の枠状装飾体(所謂センター役物)が配設されて、該枠状装飾体の窓口を介して複数の図柄を変動表示する液晶式やドラム式等の図柄表示装置を後方から臨ませると共に、該遊技盤における枠状装飾体の下方位置に、パチンコ球(遊技球)の入賞により図柄表示装置での図柄変動を開始させる始動入賞装置(始動入賞手段)や大当り時(当り時)等に開放する特別入賞装置を配設するよう構成されたものが多数提案されている(例えば、特許文献１参照)。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記図柄表示装置での図柄変動演出に伴うリーチ演出等の各種の遊技演出がなされ、該図柄表示装置に図柄が所定の組み合わせで停止することにより所謂大当りが発生し、前記特別入賞装置が開放して多数の賞球を獲得し得るよう構成される。また、始動入賞装置や特別入賞装置等の各種入賞装置に入賞することなく遊技領域の最下部まで流下したパチンコ球は、遊技領域下部に設けられたアウト口から機外に排出されるようになっている。
【先行技術文献】
【特許文献】
【０００３】
【特許文献１】特開２００６−２３９１７７号公報
【発明の概要】
【発明が解決しようとする課題】
【０００４】
前記アウト口は遊技領域の最下部にのみ設けられているため、パチンコ球が遊技領域を流下する途中でのパチンコ遊技が単調となり、面白みに欠ける難点が指摘される。また、前記パチンコ機では、枠状装飾体の外側の遊技領域に、前記特別入賞装置や、普通入賞口が設けられた飾り部材等の各種遊技部品が配置されている。このようにパチンコ機では、機能の異なる多数の遊技部品が遊技盤に配設されているため、各部品を個々に取り付けるための加工を遊技盤の複数箇所に施さなければならず、加工工数が増えて製造コストが嵩む難点が指摘される。また、各部品を遊技盤の対応箇所に個々に組み付ける必要があるため、組み立てに手間が掛かっていた。
【０００５】
すなわち本発明は、従来の技術に係る遊技機に内在する前記課題に鑑み、これを好適に解決するべく提案されたものであって、遊技領域を流下する遊技球の動きに対する関心を高めて、遊技の興趣を向上させ得る遊技機を提供することを目的とする。
【０００６】
前記課題を解決するために、本願の請求項１に記載の発明では、
前面に配設されたレール部材(21c,22)により遊技球が流下する遊技領域(20a)が画成された遊技盤(20)と、特定条件が成立したときに当りか否かの判定を行う当り判定手段とを備え、遊技球を前記遊技領域(20a)へ打ち出して遊技が行われるよう構成された遊技機において、
前記レール部材(21c)に隣接するよう遊技盤(20)に配設されて前記遊技領域(20a)に臨む基部材(41,42)と、
前記基部材(41,42)の外側面に設けられ、前記遊技領域(20a)を流下する遊技球を受けて左右方向の一方の側から他方の側に向かって該遊技球を転動させる転動面(43)と、
前記基部材(41,42)の外側面に設けられて遊技領域(20a)に開口し、遊技球が入球可能なアウト口(47,49)と、
前記基部材(41,42)の外側面に設けられて遊技領域(20a)に開口し、遊技球が入賞可能な入賞口(45)と、
前記基部材(41,42)の外側面に設けられて遊技領域(20a)に開口し、遊技球が入賞可能な特定入賞口(52)を開閉する開閉部材(54)を前記当り判定手段の判定結果が肯定判定の場合に開放するよう構成される特定入賞部(52,54)とを備え、
前記アウト口(47,49)および入賞口(45)は、特定入賞口(52)より上流側に設けられることを要旨とする。
【０００７】
請求項１の発明によれば、遊技球が転動する転動面が形成された基部材に、特定条件の成立時に開放する可能性のある特定入賞口を設けると共に該特定入賞口の上流側に入賞口およびアウト口を設けることで、特定入賞口や入賞口への入賞の可能性のある遊技球がアウト口に入球するかしないかに遊技者の関心を惹きつけることができ、遊技の興趣を向上し得る。また、遊技球が入球可能なアウト口、遊技球が入賞可能な入賞口および特定入賞口を基部材に纏めて設けたので、複数の遊技部品を個々に取り付けるための加工を遊技盤に施す必要はなく、遊技部品を取り付けるために遊技盤に施す加工工数を低減して製造コストを低廉に抑えることができる。更に、遊技盤に基部材を取り付けるだけで、複数の遊技部品を遊技盤に組み付けることができるので、組み付け工数を低減して遊技部品の組み立てに要する手間を軽減し得る。
【０００８】
請求項２に記載の発明では、前記開閉部材(54)は、前記特定入賞口(52)への遊技球の入賞を阻止する閉位置と、該閉位置より後方に退避して前記特定入賞口(52)への遊技球の入賞を許容する開位置との間を進退移動するよう構成され、閉位置の開閉部材(54)の上面が前記転動面(43)に連続して該転動面(43)から開閉部材(54)に遊技球が転動するよう構成されることを要旨とする。
請求項２の発明によれば、特定入賞口を開閉する開閉部材が閉位置で転動面に連続するよう構成しているので、該開閉部材が開位置に移動した場合には、アウト口に入球することなく転動面を転動してくる遊技球を特定入賞口に効率的に入賞させることができ、アウト口に入球しなかった遊技球に対する関心を引き続き高めることができる。
【０００９】
請求項３に記載の発明では、前記基部材(41,42)に、前記閉位置の開閉部材(54)の上方に張出して該開閉部材(54)との間に左右方向に開口する球通路(61)を画成する張出し部(55)が設けられ、該張出し部(55)と閉位置の開閉部材(54)との離間間隔は、遊技球１個分の寸法より大きく、かつ遊技球２個分より小さな寸法に設定されることを要旨とする。
請求項３の発明によれば、転動面を転動してくる遊技球の多くを球通路で閉位置の開閉部材の上側を通過するように案内し得るので、上流側のアウト口に遊技球が入球して間引きされたとしても、特定入賞口が開放した場合には設定された規定個数の遊技球を確実に入賞させることができる。
【００１０】
請求項４に記載の発明では、前記基部材(41,42)に、前記転動面(43)から前記レール部材(21c)側に離間して該レール部材(21c)に重なるように延在する案内壁(42c)が設けられ、該案内壁(42c)と前記転動面(43)との間に、前記アウト口(47)に入球した遊技球が前側から視認可能な状態で転動する球案内通路(48)が形成され、該球案内通路(48)および案内壁(42c)を照明する発光装置(56)を備えることを要旨とする。
請求項４の発明によれば、照明された球案内通路および案内壁を遊技球が転動する様子が見えることで遊技の興趣を高めることができる。
【００１１】
請求項５に記載の発明では、前記遊技盤(20)に、開口部(29a)から図柄表示装置(17)の表示部(17a)を前側に臨ませる枠状装飾体(29)が配設され、前記基部材(41,42)は、前記枠状装飾体(29)より右側下部の遊技領域(20a)に臨むように前記遊技盤(20)に配設されることを要旨とする。
請求項５の発明によれば、右打ちされた遊技球の動きに対する関心を高めることができる。
【発明の効果】
【００１２】
本発明に係る遊技機によれば、遊技領域を流下する遊技球の動きに対する関心を高めて、遊技の興趣を向上し得る。
【図面の簡単な説明】
【００１３】
【図１】実施例に係るパチンコ機を示す正面図である。
【図２】実施例に係る遊技盤の正面図である。
【図３】実施例に係る遊技盤をサイド装飾体における前構成部材の部分で縦断した要部正面図である。
【図４】実施例に係るサイド装飾体の平面図である。
【図５】実施例に係るサイド装飾体を前側から見た概略斜視図である。
【図６】図４のＡ−Ａ線断面図である。
【図７】実施例に係るサイド装飾体における本体、前構成部材、発光装置、張出し部および開閉部材を分解した状態で前側から見た概略斜視図である。
【図８】実施例に係るサイド装飾体における本体、前構成部材、発光装置、張出し部および開閉部材を分解した状態で後側から見た概略斜視図である。
【発明を実施するための形態】
【００１４】
次に、本発明に係る遊技機につき、好適な実施例を挙げて、添付図面を参照して以下に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１５】
(パチンコ機１０について)
実施例に係るパチンコ機１０は、図１に示すように、全体として縦長の矩形状に構成されており、遊技者がパチンコ機１０の前面に向かう姿勢でパチンコ遊技を行うことができるよう、パチンコ球の発射操作を行うための操作ハンドル１６が前面右下部に設けられている。このパチンコ機１０には、矩形枠状に形成されて遊技店の図示しない設置枠台に固定される固定枠としての外枠１１の開口前面側に、後述する遊技盤２０(図２参照)を着脱可能に保持する本体枠としての中枠１２が開閉および着脱可能に組付けられると共に、遊技盤２０の後側に、図柄を変動表示可能な図柄表示装置１７(図１参照)が着脱し得るよう配設されている。また、中枠１２の前面側には、遊技盤２０を透視可能に保護する透明板(透明部材)１３ａを窓部に備えた装飾枠としての前枠１３が開閉可能に組付けられると共に、該前枠１３の下方にパチンコ球を貯留する下球受け皿１５が開閉可能に組付けられる。なお、実施例では、前枠１３の下部位置に、パチンコ球を貯留する上球受け皿１４が一体的に組付けられており、前枠１３の開閉に合わせて上球受け皿１４も一体的に開閉するよう構成される。また実施例では、前記図柄表示装置１７としては、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の図柄表示装置を採用し得る。
【００１６】
前記前枠１３には、図１に示す如く、下球受け皿１５の右側方に、前記中枠１２に配設された打球発射装置(図示せず)を作動する前記操作ハンドル１６が設けられる。この操作ハンドル１６は、左回転方向に付勢された操作レバー１６ａを備えており、該操作レバー１６ａを右回転するよう遊技者が回動操作することで打球発射装置が作動されて、前記上球受け皿１４に貯留されたパチンコ球が前記遊技盤２０に向けて発射されるようになっている。ここで、前記操作レバー１６ａの回動量に応じて前記打球発射装置によるパチンコ球の打球力が強弱変化するよう構成されており、遊技者が操作レバー１６ａを操作して回動量を調節することで、前記遊技盤２０に形成された第１経路３０ａ(後述)をパチンコ球が流下する所謂「左打ち」と、該遊技盤２０に形成された第２経路３０ｂ(後述)をパチンコ球が流下する所謂「右打ち(ゴム打ち)」とを打ち分け得るようになっている。また、前枠１３の前部には、ＬＥＤ等の発光体による発光演出が可能なランプ装置１８や、音声や効果音を出力可能なスピーカ１９が配設されており、前記図柄表示装置１７での図柄変動演出に合わせてランプ装置１８で発光演出を行ったりスピーカ１９で音声演出を行い得るよう構成されている。
【００１７】
(遊技盤２０について)
前記遊技盤２０は、図２に示すように、前面(盤面)にパチンコ球が流下可能な遊技領域２０ａが画成されたアクリルやポリカーボネート等の合成樹脂材等からなる透明な平板状の板部材であって、該遊技盤２０の裏側に、合成樹脂材により前方へ開口した箱状に形成されて、前記図柄表示装置１７や各種可動演出装置等が配設される設置部材(図示せず)が配設されている。遊技盤２０および設置部材は、正面視における外郭形状が略整合する大きさおよび形状に形成されて、遊技盤２０の後面に設置部材を取着した状態で、設置部材が遊技盤２０の後面を全面的に覆うよう構成されている。なお、遊技盤２０をベニア板等から形成してもよい。
【００１８】
図２に示すように、前記遊技盤２０の前面には、左側部の上下隅部に第１および第２盤面保護部材２１ａ,２１ｂが夫々配設されると共に、右側部において上下隅部に亘るように第３盤面保護部材２１ｃが配設されている。これら第１〜第３盤面保護部材２１ａ,２１ｂ,２１ｃの夫々は、遊技盤２０の中心側を向く内縁が円弧状に形成されており、該第１〜第３盤面保護部材２１ａ,２１ｂ,２１ｃの内縁に沿って配設された略円形状に湾曲形成された案内レール２２および第３盤面保護部材２１ｃにより、パチンコ球が流下可能な遊技領域２０ａが画成されている。案内レール２２は、左下隅部の第２盤面保護部材２１ｂの下端部から左上隅部の第１盤面保護部材２１ａおよび第３盤面保護部材２１ｃの上端部の内縁に沿って配設されて、遊技盤２０の左下部から右上部に至るよう左方向に膨出する円弧状に形成された外レール２２ａと、第３盤面保護部材２１ｃの下端部から左側の外レール２２ａの内側に配置されて、遊技盤２０の右下部および左上部に至るよう左方向に膨出する円弧状に形成された内レール２２ｂとから構成される。また、内レール２２ｂは、外レール２２ａとの間に１個のパチンコ球が通過可能な発射通路２３を画成するよう配設されると共に、該内レール２２ｂは、図２に示す如く、前記遊技盤２０の左上部に開放端を臨ませるよう構成されて、前記打球発射装置から発射されたパチンコ球が発射通路２３の下方開口から飛翔して、内レール２２ｂの開放端側から遊技領域２０ａ内に打ち出されるようになっている。実施例では、案内レール２２および第３盤面保護部材２１ｃが、パチンコ球が流下可能な遊技領域２０ａを画成するレール部材として機能する。
【００１９】
前記遊技盤２０には、前後に貫通する装着口(図示せず)が前記遊技領域２０ａ内に複数開設されて、各装着口に対して各種の遊技部品が前側から取り付けられると共に、遊技領域２０ａの最下部位置には、該遊技領域２０ａに打ち出されたパチンコ球を排出する第１アウト口２４が開設されている。なお、前記装着口の形成数は、遊技盤２０に対して取り付けられる各種の遊技部品の個数や配設位置等により必要に応じて適宜決定される。
【００２０】
図２に示すように、前記遊技盤２０には、前記遊技領域２０ａ内に多数の遊技釘２５が設けられると共に、後述する枠状装飾体２９の左側方に、遊技領域２０ａを流下するパチンコ球の接触に伴って回転する回転案内部材２６が回転自在に支持されており、遊技釘２５や回転案内部材２６との接触によりパチンコ球の流下方向が不規則に変化するよう構成されている。前記回転案内部材２６は、所謂「風車」とも称される部材であって、該回転案内部材２６の回転に伴ってパチンコ球を弾くように左右方向へ放出する部材である。また、前記遊技盤２０には、後述する始動入賞装置３５の第１始動入賞口３６ａと前記回転案内部材２６との間に、該第１始動入賞口３６ａへ向けて下方傾斜する直線状に連続して前記遊技釘２５が設けられると共に、該第１始動入賞口３６ａへ向けて直線状に下方傾斜する遊技釘群の下方位置には、始動入賞装置３５の第２始動入賞口３６ｂへ向けて下方傾斜する直線状に連続して遊技釘２５が設けられている。なお、以下の説明では、第１始動入賞口３６ａへ向けて下方傾斜する直線状に連続した遊技釘群を上側案内連釘２７と指称し、第２始動入賞口３６ｂへ向けて下方傾斜する直線状に連続した遊技釘群を下側案内連釘２８と指称するものとする。
【００２１】
すなわち、前記上側案内連釘２７は、前記遊技領域２０ａを流下するパチンコ球を第１始動入賞口３６ａへ案内する案内部として機能し、前記下側案内連釘２８は、遊技領域２０ａを流下するパチンコ球を第２始動入賞口３６ｂへ案内する案内部として機能している。なお、前記上側案内連釘２７および下側案内連釘２８を構成する遊技釘２５は、適宜位置でパチンコ球が通過可能な隙間２７ａ,２８ａが空くよう設けられており、該上下の案内連釘２７,２８上を移動するパチンコ球が後述する第１普通入賞口３７ａや第１アウト口２４側へ流下し得るようになっている。
【００２２】
(枠状装飾体２９について)
前記遊技盤２０には、前記案内レール２２および第３盤面保護部材２１ｃで囲まれた前記遊技領域２０ａの略中央の大部分が開口する第１装着口に、前後に開口する窓口(開口部)２９ａが形成された枠状装飾体(装飾体)２９が取り付けられて、該枠状装飾体２９の窓口２９ａを介して図柄表示装置１７の表示部１７ａが遊技盤２０の前面側に臨むよう構成される。枠状装飾体２９は、前記第１装着口に沿って延在する環状に形成された薄板状の台板２９ｂと、該台板２９ｂの開口内周に沿って後方へ突出する内周壁部(図示せず)と、該台板２９ｂの開口内周に沿って設けられて、遊技盤２０の前面より前方へ突出する庇部２９ｃとを備える。そして、枠状装飾体２９は、第１装着口内に内周壁部を挿入した状態で、遊技盤２０に台板２９ｂが前側からネジ止めされて、該枠状装飾体２９の外側、具体的には庇部２９ｃと案内レール２２および第３盤面保護部材２１ｃの間にパチンコ球が流下する流下経路３０ａ,３０ｂが画成されるようになっている。なお、枠状装飾体２９を遊技盤２０に取り付けた状態で、庇部２９ｃの後端縁から外方に延出する台板２９ｂが遊技盤２０の前面に沿って延在して、該台板２９ｂの前側をパチンコ球が通り得るようになっている。枠状装飾体２９は、前記台板２９ｂ、内周壁部および庇部２９ｃの夫々が一体に樹脂形成される構成であっても、別部材として形成される構成であってもよい。
【００２３】
前記枠状装飾体２９の庇部２９ｃは、枠状装飾体２９(台板２９ｂ)の左側縁の略中間位置から上縁および右下縁に亘って連続して延在するよう設けられており、前記図柄表示装置１７における表示部１７ａの前面側を横切ってパチンコ球が流下(落下)するのを規制している。また庇部２９ｃは、最上部位置から左右方向に下方傾斜するよう形成されて、遊技領域２０ａに打ち出されたパチンコ球が庇部２９ｃ上で滞ることなく枠状装飾体２９の左側方または右側方へ誘導案内されるよう形成されている。すなわち、枠状装飾体２９の外側に画成される流下経路３０ａ,３０ｂは、図２に示す如く、該枠状装飾体２９の左側方をパチンコ球が流下する第１経路３０ａ、および枠状装飾体２９の右側方をパチンコ球が流下する第２経路３０ｂに分かれており、前記打球発射装置により遊技領域２０ａ内に発射されたパチンコ球は、到達位置に応じて枠状装飾体２９および内レール２２ｂの間に形成される第１経路３０ａか、或いは枠状装飾体２９および第３盤面保護部材２１ｃの間に形成される第２経路３０ｂの何れかを流下するよう構成される。
【００２４】
前記枠状装飾体２９には、図２に示す如く、窓口２９ａの下側(枠状装飾体２９の内周下縁部)に、ステージ３１が配設されると共に、窓口２９ａの左側に、前記第１経路３０ａ(遊技領域２０ａ)に開口して該第１経路３０ａを流下するパチンコ球を枠状装飾体２９の内側(ステージ３１)に取り込む球導入部３２が設けられ、該球導入部３２がステージ３１に連通するよう構成される。そして、球導入部３２からステージ３１に通出されたパチンコ球は、ステージ３１上を左右に転動した後に、後述する始動入賞装置３５が設けられている遊技領域２０ａに排出される。
【００２５】
(特殊入賞装置３４について)
前記枠状装飾体２９には、前記ステージ３１の右側部に、前記第２経路３０ｂを流下するパチンコ球が入賞可能な特殊入賞装置３４が配設されている。この特殊入賞装置３４は、前記庇部２９ｃの右下縁の内側に設けられたものであって、該庇部２９ｃに形成されて第２経路３０ｂに開口する特殊入賞口３４ａを開閉する開閉部材３４ｂや、特殊入賞口に入賞したパチンコ球を検出するセンサ等を備えている。前記開閉部材３４ｂは、駆動手段としての特殊入賞ソレノイド(図示せず)の駆動に伴って特殊入賞口３４ａを閉鎖する閉鎖位置と開放する開放位置に変位するよう構成される。なお、特殊入賞装置３４を囲繞する庇部２９ｃと前記第３盤面保護部材２１ｃとの間の第２経路３０ｂに、遊技盤２０に配設された後述するサイド装飾体３８が位置している。
【００２６】
(始動入賞装置３５について)
前記遊技盤２０における前記第１装着口(枠状装飾体２９)の下方に開設された第２装着口に、遊技領域２０ａ(第１経路３０ａおよび第２経路３０ｂ)を流下するパチンコ球が入賞可能な始動入賞装置３５が取り付けられている。始動入賞装置３５は、図３に示す如く、前記第１装着口の下方に穿設された第２装着口に前側から着脱自在に配設される始動口飾り３５ａに、始動入賞口３６ａ,３６ｂが上下の位置関係で２つ設けられている。ここで、上側に位置する第１始動入賞口３６ａは、遊技領域２０ａ内で常に上方へ開口する常時開放タイプの入賞口とされている。また、下側に位置する第２始動入賞口３６ｂは、始動口飾り３５ａに前後方向へ揺動可能に配設された開閉部材３５ｂによって開閉するよう構成されており、駆動手段としての始動入賞ソレノイド(図示せず)の駆動に伴って開閉部材３５ｂが第２始動入賞口３６ｂを閉鎖する閉鎖位置と開放する開放位置に変位するよう構成されている。すなわち、実施例において前記第１始動入賞口３６ａは、前記遊技領域２０ａを流下するパチンコ球が常時一定の確率で入賞可能に構成され、第２始動入賞口３６ｂは、始動入賞ソレノイドを駆動することでパチンコ球の入賞確率を可変し得るよう構成されている。なお、開閉部材３５ｂを閉鎖位置から開放位置に変位して第２始動入賞口３６ｂを開放する開放条件および開閉部材３５ｂを開放位置から閉鎖位置に変位して第２始動入賞口３６ｂを閉鎖する閉鎖条件としては、開閉部材３５ｂが開放位置に変位している継続時間(第２始動入賞口３６ｂの開放時間)が挙げられるが、その他の条件を設定してもよい。
【００２７】
また、前記始動入賞装置３５は、前記第１および第２始動入賞口３６ａ,３６ｂに入賞したパチンコ球を検出する入賞検出手段としての始動入賞検出スイッチ(図示せず)が設けられている。始動入賞検出スイッチは、パチンコ機１０の裏側に配設された制御手段に配線接続されており、該始動入賞検出スイッチによるパチンコ球の検出(すなわち第１および第２始動入賞口３６ａ,３６ｂへのパチンコ球の入賞)を契機として所定数の賞球が払い出されるようになっている。また、始動入賞検出スイッチによるパチンコ球の検出に伴って各種情報が取得され、この取得した情報に基づいて後述する特図当り抽選(当り判定)が行われるよう構成されている。そして、特図当り抽選の結果に基づいて前記図柄表示装置１７において図柄変動演出が実行されるようになっている。そして、前記図柄表示装置１７での図柄変動演出の結果、該図柄表示装置１７に所定の組み合わせ(例えば同一飾図の３つ揃い等)で飾図が確定停止表示されることで、遊技者に有利な当り遊技(当り遊技)が付与され、当り遊技の発生に伴って前記枠状装飾体２９に設けた特殊入賞装置３４の特殊入賞口３４ａまたは後述するサイド装飾体３８に設けた特別入賞口５２を所定の開放条件で開放する当り遊技が行われて、遊技者が賞球を獲得し得る機会が与えられるよう構成されている。
【００２８】
前記始動入賞装置３５の始動口飾り３５ａには、図３に示す如く、前記第２始動入賞口３６ｂを挟む左右両側に、球案内部３５ｃ,３５ｃが前側に突出して設けられている。各球案内部３５ｃは、上面が他方の球案内部３５ｃに向けて下方傾斜するよう形成されており、開閉部材３５ｂが開放位置に変位した状態では、各球案内部３５ｃの上面によってパチンコ球が第２始動入賞口３６ｂに向けて案内され易くなっている。なお、左側の球案内部３５ｃより左側の遊技領域２０ａおよび右側の球案内部３５ｃより右側の遊技領域２０ａに、対応する球案内部３５ｃの上面へ向けて直線状に下方傾斜する遊技釘群が設けられている。以下の説明では、左側の球案内部３５ｃへ向けて下方傾斜する直線状に連続した遊技釘群を、左下部案内連釘４０ａと指称すると共に、右側の球案内部３５ｃへ向けて下方傾斜する直線状に連続した遊技釘群を、右下部案内連釘４０ｂと指称するものとする。そして、前記第１経路３０ａおよび第２経路３０ｂを流下して左右の下部案内連釘４０ａ,４０ｂまで達したパチンコ球は、該下部案内連釘４０ａ,４０ｂおよび球案内部３５ｃ,３５ｃによって第２始動入賞口３６ｂに向けて流下し易くなっている。
【００２９】
(第１球通過ゲート３９ａについて)
前記始動入賞装置３５の始動口飾り３５ａには、前記第１始動入賞口３６ａの上方位置に、前記遊技領域２０ａを流下するパチンコ球が通過可能な第１球通過ゲート３９ａが取り付けられている。この第１球通過ゲート３９ａには、該ゲート３９ａを通過するパチンコ球を検出する球通過検出スイッチ(図示せず)が設けられている。この球通過検出スイッチは、パチンコ機１０の裏側に配設された制御手段(図示せず)に配線接続されており、該球通過検出スイッチから制御手段への球検出信号の入力(すなわちパチンコ球の検出)に伴って普図当り抽選(後述)が行われ、該普図当り抽選の結果に応じて前記始動入賞装置３５の始動入賞ソレノイドが駆動制御されて開閉部材３５ｂが開閉動作するようになっている。
【００３０】
(普通入賞装置３７について)
前記遊技盤２０における前記第２装着口(始動入賞装置３５)の左方で前記下側案内連釘２８の配設位置より下方で左右に離間して開設された２つの第３装着口に、第１経路３０ａを流下するパチンコ球が入賞可能な第１普通入賞口３７ａが設けられた普通入賞装置３７が夫々取り付けられている。実施例では、図２に示す如く、第１経路３０ａの上流側に位置する普通入賞装置３７には２つの第１普通入賞口３７ａが設けられるのに対し、下流側に位置する普通入賞装置３７には１つの第１普通入賞口３７ａが設けられている。また、各普通入賞装置３７は、前記内レール２２ｂとの間に、パチンコ球が流下可能な隙間をあけて遊技盤２０に配設されており、前記下側案内連釘２８の隙間２８ａから落下して第１普通入賞口３７ａに入賞しなかったパチンコ球が、該普通入賞装置３７の下側を内レール２２ｂに沿って前記第１アウト口２４に向けて流下可能に構成されている。
【００３１】
(第２球通過ゲート３９ｂについて)
前記第２装着口の右方に開設された第４装着口に、第２経路３０ｂを流下するパチンコ球が通過可能な第２球通過ゲート３９ｂが取り付けられている。第２球通過ゲート３９ｂには、該ゲート３９ｂを通過するパチンコ球を検出する球通過検出スイッチ(図示せず)が設けられている。この球通過検出スイッチは、前記第１球通過ゲート３９ａの球通過検出スイッチと同様に前記制御手段に配線接続されており、該球通過検出スイッチから制御手段への球検出信号の入力(すなわちパチンコ球の検出)に伴って普図当り抽選(後述)が行われ、該普図当り抽選の結果に応じて前記始動入賞装置３５の始動入賞ソレノイドが駆動制御されて開閉部材３５ｂが開閉動作するようになっている。なお、第２球通過ゲート３９ｂは、図３に示す如く、第２経路３０ｂにおいて前記枠状装飾体２９に設けた特殊入賞装置３４の特殊入賞口３４ａより上流側(上側)に位置している。
【００３２】
(サイド装飾体３８について)
前記第２装着口の右方で第４装着口の下方に開設された第５装着口に、遊技領域２０ａに開口して第２経路３０ｂを流下するパチンコ球が入球可能な第２普通入賞口４５、特別入賞口５２およびアウト口４７,４９が設けられたサイド装飾体３８が取り付けられている。第５装着口を介して遊技盤２０に配設されたサイド装飾体３８は、図２に示す如く、前記枠状装飾体２９より右側下部の遊技領域２０ａにおいて、該枠状装飾体２９に設けた前記特殊入賞装置３４の下方に離間して位置して、第２経路３０ｂにおいて特殊入賞装置３４を囲繞している庇部２９ｃの外側(右側および下側)を流下するパチンコ球が、該サイド装飾体３８に設けた各口４５,５２,４７,４９に入球可能になっている。
【００３３】
前記第３盤面保護部材２１ｃに沿って遊技盤２０に形成された第５装着口に配設される前記サイド装飾体３８は、図２,図３に示す如く、前記枠状装飾体２９に設けた前記特殊入賞装置３４の右側方に臨む位置から前記始動入賞装置３５の配設位置までの間に亘って延在する概略弓形状の部材であって、該サイド装飾体３８は、第３盤面保護部材(レール部材)２１ｃの内側(枠状装飾体２９を向く側)に沿って枠状装飾体側が凹となる姿勢で遊技盤２０に配設されている。サイド装飾体３８は、前後に分割可能な本体４１と前構成部材４２とからなる基部材に、各種の遊技部品を組み付けた１つユニットとして取り扱い得るよう構成されている。本体４１は、図７,図８に示す如く、略弓形状に形成された固定壁４１ａの裏面に、該固定壁４１ａの外縁から離間した位置から後方に突出する側壁４１ｂが固定壁４１ａの外縁に沿って形成されて、該側壁４１ｂで囲われた部分が後方に開口している。そして、サイド装飾体３８は、第５装着口内に本体４１の側壁４１ｂを挿入した状態で、遊技盤２０の前面に当接した固定壁４１ａを前側からネジ止めすることで遊技盤２０に位置決め固定されるようになっている。なお、サイド装飾体３８を構成する本体４１や前構成部材４２は、樹脂材料によって光透過性に形成されており、後述する発光装置５６,５７,５８によって本体４１や前構成部材４２を発光装飾し得るよう構成してある。
【００３４】
(前構成部材４２について)
前記サイド装飾体３８は、前記本体４１の前側に配設されて、前記第３盤面保護部材(レール部材)２１ｃの内側に隣接するように延在する前記前構成部材４２を備え、該前構成部材４２が遊技領域２０ａ(第２経路３０ｂ)に臨んでいる。前構成部材４２は、図６〜図８に示す如く、本体４１の固定壁４１ａから前方に離間して平行に位置する前壁４２ａと、該前壁４２ａから後方に突出する複数の壁４２ｂ,４２ｃ,４２ｄとを備え、複数の壁４２ｂ,４２ｃ,４２ｄの後端を固定壁４１ａの前面に当接した状態で本体４１の前側に前構成部材４２が位置決め固定される。固定壁４１ａと前壁４２ａとは、両壁４１ａ,４２ａの間をパチンコ球が流下可能な寸法で離間している。具体的には、固定壁４１ａと前壁４２ａとの離間間隔は、パチンコ球１個分の寸法より大きく、かつパチンコ球２個分より小さな寸法に設定される。なお、前壁４２ａの前面には、パチンコ機１０のモチーフとなる図柄等が形成されている。
【００３５】
前記前構成部材４２には、前記前壁４２ａにおける左右方向に延在する上側の端縁部に沿って延在する上側壁４２ｂの上面(外側面)に、遊技領域２０ａ(第２経路３０ｂ)を流下するパチンコ球を受けて右側から左側に向かってパチンコ球を転動させ得る転動面４３が形成されている。上側壁４２ｂは、図４,図７,図８に示す如く、後述する第２アウト口４７、第２普通入賞口４５、第３アウト口４９および特別入賞口５２の画成部分が切り欠かれて、左右方向に不連続に延在している。そして、このように不連続で延在する上側壁４２ｂの上面に形成される転動面４３は、前構成部材４２の最も右側の上部に位置する第１転動面部４３ａと、該第１転動面部４３ａとは第２アウト口４７を挟んだ左側に離間位置する第２転動面部４３ｂと、第２転動面部４３ｂとは第２普通入賞口４５を挟んだ左側に離間位置する第３転動面部４３ｃと、第３転動面部４３ｃとは第３アウト口４９を挟んだ左側に離間位置する第４転動面部４３ｄおよび第４転動面部４３ｄとは特別入賞口５２を挟んだ左側に離間位置する第５転動面部４３ｅとから構成される。実施例では、第１転動面部４３ａおよび第３〜第５転動面部４３ｃ,４３ｄ,４３ｅが左下方傾斜するのに対し、第２転動面部４３ｂは右下方傾斜して、該第２転動面部４３ｂ上に落下したパチンコ球を後述する第２アウト口４７に向けて案内するよう構成してある。
【００３６】
(第２アウト口４７について)
前記前構成部材４２には、図３,図４に示す如く、前記第１転動面部４３ａと第２転動面部４３ｂとの間に、上方に開口する第２アウト口(アウト口)４７が設けられている。この第２アウト口４７は、前構成部材４２の前壁４２ａと前記本体４１の固定壁４１ａとの間において上方(遊技領域２０ａ)に開口して、該第２アウト口４７に、第２経路３０ｂ(遊技領域２０ａ)を流下するパチンコ球が入球可能に構成されている。
【００３７】
(第２普通入賞口４５について)
前記前構成部材４２には、図８に示す如く、第２転動面部４３ｂと第３転動面部４３ｃと間に、前壁４２ａから後方に延在する普通球受け通路部４４が設けられている。普通球受け通路部４４は、図４,図６に示す如く、前壁４２ａと本体４１の固定壁４１ａとの間に亘って延在するよう形成されると共に、上方に開口する樋形状に形成されている。すなわち、普通球受け通路部４４における前壁４２ａと固定壁４１ａとの間において上方(遊技領域２０ａ)に開口する部分が、前記第２経路３０ｂ(遊技領域２０ａ)を流下するパチンコ球が入賞可能な第２普通入賞口(入賞口)４５として機能している。前記本体４１には、普通球受け通路部４４と対応する位置に、該普通球受け通路部４４に連通すると共に上方に開口する樋状の球案内樋４６が設けられており、第２普通入賞口４５に入賞したパチンコ球を普通球受け通路部４４および球案内樋４６を介して図示しないセーフ球用排出経路に誘導して機外に排出するよう構成されている。また、前記第２アウト口４７および第２普通入賞口４５は、前記第２経路３０ｂに植設した後述するサイド案内連釘５９の下方に位置しており、該サイド案内連釘５９の隙間５９ａを通過したパチンコ球が第２アウト口４７および第２普通入賞口４５に入球可能に構成されている。
【００３８】
(第１球案内通路４８について)
前記前構成部材４２には、図８に示す如く、前記第１転動面部４３ａの下流端から下方に延在した後に、前壁４２ａの下側の端縁に沿って延在する案内壁４２ｃが前壁４２ａから後方に向けて突設されている。この案内壁４２ｃは、図３に示す如く、前記第２転動面部４３ｂ、普通球受け通路部４４および第３転動面部４３ｃの下側に所定間隔離間して、前記第３盤面保護部材(レール部材)２１ｃと重なるように左右方向に延在している。なお、第２転動面部４３ｂ、普通球受け通路部４４および第３転動面部４３ｃと案内壁４２ｃとの離間寸法は、パチンコ球が通過可能な寸法に設定されており、該第２転動面部４３ｂ、普通球受け通路部４４および第３転動面部４３ｃと案内壁４２ｃとの間に、パチンコ球が転動(流下)可能な第１球案内通路(球案内通路)４８が形成される。具体的には、第２転動面部４３ｂおよび第３転動面部４３ｃが上面に形成される上側壁４２ｂの下面および普通球受け通路部４４の下面と案内壁４２ｃの上面との間に、パチンコ球が転動(流下)可能な第１球案内通路(球案内通路)４８が形成される。また、第１球案内通路４８は、上流端が第２アウト口４７に連通すると共に、下流端が左方に開口しており、第２アウト口４７に入球したパチンコ球を右側から左側に向けて転動させ得るよう構成される。
【００３９】
(第３アウト口４９について)
前記前構成部材４２には、図３,図４に示す如く、前記第３転動面部４３ｃと第４転動面部４３ｄとの間に、上方に開口する第３アウト口(アウト口)４９が設けられている。この第３アウト口４９は、前構成部材４２の前壁４２ａと前記本体４１の固定壁４１ａとの間において上方(遊技領域２０ａ)に開口して、該第３アウト口４９に、第２経路３０ｂ(遊技領域２０ａ)を流下するパチンコ球が入球可能に構成されている。
【００４０】
(第２球案内通路５０について)
前記前壁４２ａには、第４転動面部４３ｄの上流端から下方に延在した後に、前壁４２ａの下流端(左端)まで左右方向に延在する区画壁４２ｄが前壁４２ａから後方に向けて突設されている。この区画壁４２ｄは、前壁４２ａの下側の端縁から上側に所定高さだけ離間して延在しており、該区画壁４２ｄと前記第３盤面保護部材(レール部材)２１ｃとの間に、パチンコ球が転動(流下)可能な第２球案内通路５０を画成している。この第２球案内通路５０は、上流端が第３アウト口４９に連通すると共に、下流端(出口)が遊技領域２０ａに開口しており、第３アウト口４９に入球したパチンコ球を第３盤面保護部材２１ｃに沿って右側から左側に向けて転動させ得るよう構成されている。また、第２球案内通路５０の上流端には前記第１球案内通路４８が連通しており(図３参照)、第２アウト口４７および第３アウト口４９に入球したパチンコ球は、最終的には第２球案内通路５０の出口から遊技領域２０ａに通出するよう構成される。
【００４１】
前記第２球案内通路５０の出口は、図３に示す如く、前記右下部案内連釘４０ｂの下側で左方に向けて開口しており、該出口から通出されるパチンコ球は、前記第１アウト口２４に向けて流下するよう構成される。すなわち、第２アウト口４７および第３アウト口４９に入球したパチンコ球は、第２球案内通路５０の出口から遊技領域２０ａに通出した後に、入賞口に入賞してセーフ球となることなく第１アウト口２４から機外に排出されるようになっている。
【００４２】
前記前構成部材４２の前壁４２ａは、前記第１球案内通路４８および第２球案内通路５０の前側を画成する部分に透明部が形成されて、該第１球案内通路４８および第２球案内通路５０を転動するパチンコ球の様子を前側から視認可能に構成されている。なお、前壁４２ａの前面に施される前記図柄等は不透明に形成されており、第１球案内通路４８および第２球案内通路５０を転動するパチンコ球は、透明部分および不透明部分の後側を移動することで遊技者からは見え隠れするので、パチンコ球の動く様子を見せる演出が単調となるのを防ぐことができる。また、前記案内壁４２ｃには、梨子地加工等の光拡散処理が施されており、後述する発光装置５６による照明によって案内壁４２ｃが明輝することで第１球案内通路４８を転動するパチンコ球を見易くしてある。なお、実施例では、前構成部材４２において前壁４２ａから後方に延出するように設けられる各壁４２ｂ,４２ｄにも梨子地加工等の光拡散処理が施されている。
【００４３】
(特別入賞口５２について)
前記前構成部材４２には、図８に示す如く、前記第４転動面部４３ｄと第５転動面部４３ｅとの間に、前壁４２ａから後方に延在する特別球受け通路部５１が設けられている。特別球受け通路部５１は、前壁４２ａと本体４１の固定壁４１ａとの間に亘って延在するよう形成されると共に、上方に開口する樋形状に形成されている。すなわち、特別球受け通路部５１における前壁４２ａと固定壁４１ａとの間において上方(遊技領域２０ａ)に開口する部分が、前記第２経路３０ｂ(遊技領域２０ａ)を流下するパチンコ球が入賞可能な特別入賞口(特定入賞口)５２として機能している。また、前記本体４１の固定壁４１ａには、特別球受け通路部５１と対応する位置に、該特別球受け通路部５１に連通する特別入賞用開口５３が設けられており(図７参照)、特別入賞口５２に入賞したパチンコ球を特別球受け通路部５１および特別入賞用開口５３を介して図示しないセーフ球用排出経路に誘導して機外に排出するよう構成される。
【００４４】
(開閉部材５４について)
前記サイド装飾体３８の本体４１には、前記前構成部材４２に設けた特別球受け通路部５１で画成される特別入賞口５２を開閉自在に閉成する開閉部材５４が配設されている。開閉部材５４は、本体４１の裏側に配設された駆動手段としての特別入賞ソレノイド６０(図６参照)に連繋されて、該特別入賞ソレノイド６０を駆動することで、開閉部材５４が特別入賞口５２へのパチンコ球の入賞を阻止する閉位置と該特別入賞口５２へのパチンコ球の入賞を許容する開位置との間を進退移動するよう構成される。実施例では、図３,図７に示す如く、前記固定壁４１ａに形成された前後方向に貫通する通孔４１ｄに、板状の開閉部材５４が前後方向に進退自在に挿通されると共に、該開閉部材５４が、前記特別球受け通路部５１の左右に対向する壁面に突設された一対の支持片５１ａ,５１ａに前後方向に移動自在に支持されている。そして、開閉部材５４が固定壁４１ａから前側に延出した閉位置において、該開閉部材５４は、図４,図５に示す如く、前記第４転動面部４３ｄと第５転動面部４３ｅとの間に亘って位置して特別入賞口５２を閉鎖するよう構成される。具体的には、閉位置の開閉部材５４は、その上面が第４転動面部４３ｄおよび第５転動面部４３ｅに連続して、第４転動面部４３ｄを転動してくるパチンコ球を開閉部材５４を介して第５転動面部４３ｅに受け渡し得るようになっている。なお、閉位置の開閉部材５４は、上面が第４転動面部４３ｄおよび第５転動面部４３ｅと同様に左下方傾斜して、該開閉部材５４の上面をパチンコ球が第５転動面部４３ｅに向けてスムーズに転動するよう構成される。そして、開閉部材５４が閉位置より後方に退避した開位置に移動することで、第４転動面部４３ｄと第５転動面部４３ｅとの間に特別入賞口５２が開口して、第４転動面部４３ｄを転動してくるパチンコ球が該特別入賞口５２に落下通入(入賞)し得るよう構成される。実施例では、特別入賞口５２および開閉部材５４が特定入賞部を構成し、特定入賞部が前構成部材４２の最下流部に位置して、特別入賞口５２より上流側に前記第２アウト口４７、第２普通入賞口４５および第３アウト口４９が設けられている。
【００４５】
前記サイド装飾体３８には、前記特別入賞口５２に入賞したパチンコ球を検出する特別入賞検出手段としての特別入賞検出スイッチが配設されている。特別入賞検出スイッチは、前記制御手段に配線接続されており、特別入賞検出スイッチがパチンコ球を検出すると、検出信号を制御手段に出力し、制御手段の制御下に予め設定された数の賞球が払い出されるようになっている。なお、前記特別入賞ソレノイドは、前記始動入賞装置３５へのパチンコ球の入賞を契機として特別入賞口５２を開放する当り遊技(当り遊技)が付与される場合に、当りの種類に応じた所定の開閉条件に従って制御手段によって駆動制御される。なお、特別入賞口５２、開閉部材５４、特別入賞ソレノイド６０および特別入賞検出スイッチから特別入賞装置が構成され、実施例では該特別入賞装置がサイド装飾体３８に一体的に設けられている。
【００４６】
(張出し部５５について)
前記本体４１の固定壁４１ａは、図３,図５に示す如く、前記前構成部材４２の第４転動面部４３ｄ、特別入賞口５２および第５転動面部４３ｅの形成位置に対応する部分が上方に大きく延出しており、該延出部４１ｃの前面に、特別入賞口５２の上方に張出す張出し部５５が配設されている。張出し部５５の下面は、図３に示す如く、閉位置の開閉部材５４の上面と略平行に延在して、該開閉部材５４との間に左右方向に開口する球通路６１を画成するように構成される。また、張出し部５５の下面と閉位置の開閉部材５４の上面との離間間隔は、パチンコ球１個分の寸法より大きく、かつパチンコ球２個分より小さな寸法に設定される。
【００４７】
前記張出し部５５は、図３に示す如く、前記枠状装飾体２９における特殊入賞装置３４の下側を囲繞している庇部２９ｃの下方に位置すると共に、該張出し部５５と庇部２９ｃとの離間間隔は、パチンコ球１個分より大きく設定されている。なお、張出し部５５の上方に対向する庇部２９ｃについて、特に区別する場合は下庇部２９ｄと指称する場合もある。すなわち、遊技盤２０に配設した枠状装飾体２９の下庇部２９ｄとサイド装飾体３８の張出し部５５との関係は、張出し部５５と下庇部２９ｄとの間をパチンコ球が左右方向に通過可能に構成されている。但し、張出し部５５と下庇部２９ｄとの対向部の左右両側の遊技領域２０ａに配設される遊技釘２５によって、第２経路３０ｂを流下するパチンコ球が張出し部５５と下庇部２９ｄとの対向部間に入り込むのが規制されると共に、前記ステージ３１等から排出されたパチンコ球が張出し部５５と下庇部２９ｄとの対向部間に入り込むのが規制されている。すなわち、後述する「右打ち」によって前記第２経路３０ｂに向けて打ち出されて該第２経路３０ｂを特殊入賞装置３４の配設位置より下方まで流下したパチンコ球は、前記第２アウト口４７、第２普通入賞口４５および第３アウト口４９に入球したもの以外は、全て張出し部５５の下側に形成されている球通路６１に通入するよう構成される。また、後述する「左打ち」によって前記第１経路３０ａに向けて打ち出されて該第１経路３０ａを流下したパチンコ球が、張出し部５５と下庇部２９ｄとの対向部間を左側に抜けた後に球通路６１に通入しないようになっている。実施例では、張出し部５５と下庇部２９ｄとの対向部の左右両側の遊技領域２０ａに配設される遊技釘２５が、張出し部５５と下庇部２９ｄとの対向部間へのパチンコ球の通入を規制する規制手段として機能する。
【００４８】
前記球通路６１の出口は、図３に示す如く、前記右下部案内連釘４０ｂの上方で開口しており、該球通路６１の出口から通出したパチンコ球が右下部案内連釘４０ｂ上に落下し得るようになっている。
【００４９】
(第１発光装置５６について)
前記本体４１の固定壁４１ａの裏面には、前記第１球案内通路４８に対応する領域に、ダイヤモンドカット等の凹凸による光拡散加工が施されている。また、本体４１には、固定壁４１ａにおける光拡散加工が施された領域の後方に、第１発光装置(発光装置)５６が配設されている。この第１発光装置５６は、図６〜図８に示す如く、発光基板５６ａと、該発光基板５６ａの前面に実装されて前方に向けて光を照射するＬＥＤ等の複数の発光体５６ｂと、発光基板５６ａと略同一形状に形成されて該発光基板５６ａの裏面を覆蓋保護するように発光基板５６ａの裏側に配設された保護部材５６ｃとを備える。この第１発光装置５６は、本体４１の側壁４１ｂの後端に配設されており、該第１発光装置５６の発光体５６ｂを発光することで、固定壁４１ａに施された光拡散加工によって、第１球案内通路４８および該第１球案内通路４８を画成している壁４２ｂ,４２ｃを明輝して発光装飾し得るよう構成される。
【００５０】
(第２発光装置５７について)
前記張出し部５５は、樹脂材料によって光透過性に形成されると共に、前記固定壁４１ａにおける延出部４１ｃの裏面に、ダイヤモンドカット等の凹凸による光拡散加工が施されている。また、延出部４１ｃの裏側に、第２発光装置５７が配設されている。この第２発光装置５７は、図７,図８に示す如く、発光基板５７ａと、該発光基板５７ａの前面に実装されて前方に向けて光を照射するＬＥＤ等の複数の発光体５７ｂと、発光基板５７ａと略同一形状に形成されて該発光基板５７ａの裏面を覆蓋保護するように発光基板５７ａの裏側に配設された保護部材５７ｃとを備える。すなわち、第２発光装置５７の発光体５７ｂを発光することで、延出部４１ｃに施された光拡散加工によって、張出し部５５や球通路６１が発光装飾されるようになっている。
【００５１】
(第３発光装置５８について)
前記本体４１の裏側には、前記第２発光装置５７の下側に第３発光装置５８が配設されている。この第３発光装置５８は、図７,図８に示す如く、発光基板５８ａと、該発光基板５８ａの前面に実装されて前方に向けて光を照射するＬＥＤ等の複数の発光体５８ｂとを備える。また第３発光装置５８は、発光体５８ｂが、前記固定壁４１ａに形成した前記通孔４１ｄの上縁の後方に位置するよう配置されており、該発光体５８ｂを発光することで、通孔４１ｄに挿通されている前記開閉部材５４の上辺近傍の前記延出部４１ｃ(球通路６１の下部側)を照明し得るようになっている。なお、延出部４１ｃにおける第３発光装置５８の発光体５８ｂと対向する領域には光拡散加工が施されておらず、前記第２発光装置５７の発光体５７ｂを点灯した場合と、第３発光装置５８の発光体５８ｂを点灯した場合とで、球通路６１の発光による装飾態様が異なるよう構成される。
【００５２】
(サイド案内連釘５９について)
前記枠状装飾体２９とサイド装飾体３８との間に臨む遊技領域２０ａ(第２経路３０ｂ)に、図３に示す如く、右側から左側に向けて下方傾斜する線上に沿って複数の遊技釘２５が並ぶように設けられている。これら遊技釘群について、サイド案内連釘５９と指称するものとする。このサイド案内連釘５９は、図３に示す如く、最上部が前記第１転動面部４３ａの下流端に近接し、該最上部から第２アウト口４７、第２転動面部４３ｂおよび第２普通入賞口４５の上方を左側に延在して、最下部が前記第３転動面部４３ｃの上流端に近接位置している。また、サイド案内連釘５９を構成する遊技釘２５は、第２アウト口４７と第２普通入賞口４５との間の第２転動面部４３ｂの上方でパチンコ球が通過可能な隙間５９ａが空くように設けられており、該サイド案内連釘５９上を移動するパチンコ球が隙間５９ａから落下することで、該パチンコ球が第２アウト口４７および第２普通入賞口４５に入球し得るようになっている。これに対し、隙間５９ａから落下することなくサイド案内連釘５９上を流下したパチンコ球は第３転動面部４３ｃに落下し、該第３転動面部４３ｃ上を左方に転動されたパチンコ球が、第３アウト口４９に入球したり第４転動面部４３ｄ上に移り得るよう構成される。
【００５３】
(制御手段について)
前記パチンコ機１０に設けられる前記制御手段は、該パチンコ機１０に備えられた各種検出スイッチ(検出手段)からの検出信号に基づいて各種処理が実行され、その処理結果に基づいて、前記図柄表示装置１７、可動演出装置、発光装置５６,５７,５８、ランプ装置１８およびスピーカ１９を制御するよう構成される。また、制御手段には、前記第２始動入賞口３６ｂを開閉する開閉部材３５ｂに連繋する始動入賞ソレノイド、特別入賞口５２を開閉する開閉部材５４に連繋する特別入賞ソレノイド６０および特殊入賞口３４ａを開閉する開閉部材３４ｂに連繋する特殊入賞ソレノイドが接続されており、該制御手段での制御処理結果に基づいて各ソレノイド６０を駆動させることで、対応する開閉部材３５ｂ,５４,３４ｂが開閉するようになっている。
【００５４】
前記制御手段は、前記第１始動入賞口３６ａまたは第２始動入賞口３６ｂへパチンコ球が入賞したこと(より具体的には始動入賞検出スイッチがパチンコ球を検出したこと)を契機として特図当りか否かを判定する特図当り抽選を実行するよう設定される。ここで、前記特図当り抽選は、各始動入賞検出スイッチからパチンコ球の検出信号が入力された時点において、制御手段に予め設定された多数種類の乱数値(特図当り判定用)の内から１つを取得する乱数抽選が行われ、該取得した乱数値(特図当り判定用)に基づいて特図当りを発生するか否かを決定する。また制御手段は、前記第１球通過ゲート３９ａまたは第２球通過ゲート３９ｂをパチンコ球が通過したこと(より具体的には球通過検出スイッチがパチンコ球を検出したこと)を契機として普図当りか否かを判定する普図当り抽選を実行するよう設定される。ここで、前記普図当り抽選は、各球通過検出スイッチからパチンコ球の検出信号が入力された時点において、制御手段に予め設定された多数種類の乱数値(普図当り判定用)の内から１つを取得する乱数抽選が行われ、該取得した乱数値(普図当り判定用)に基づいて普図当りを発生するか否かを決定する。すなわち、制御手段は、第１始動入賞口３６ａまたは第２始動入賞口３６ｂにパチンコ球が入賞した特定条件が成立したときに、特図当り(当り)か否かの判定を行う特図当り判定手段(当り判定手段)としての機能を有する。また制御手段は、第１球通過ゲート３９ａまたは第２球通過ゲート３９ｂをパチンコ球が通過した条件が成立したときに、普図当りか否かの判定を行う普図当り判定手段としての機能を有する。
【００５５】
実施例のパチンコ機１０では、特図当り判定の判定結果が肯定判定された場合に付与される当り遊技の種類として第１当り遊技と第２当り遊技とが設けられており、第１当り遊技では、前記特殊入賞口３４ａを開放する当り遊技が実行されるのに対し、第２当り遊技では、前記特別入賞口５２を開放する当り遊技が実行されるよう構成されている。また、前記制御手段は、第２当り遊技においては、前記特別入賞口５２へのパチンコ球の入賞が阻まれる不利な第１状態(特別入賞口５２の開閉部材５４による閉鎖)と、特別入賞口５２へのパチンコ球の入賞が許容される第２状態(特別入賞口５２の開閉部材５４による開放)とに変動されるラウンド遊技を繰返すように前記特別入賞ソレノイドを制御するよう構成される。ここで、ラウンド遊技とは、不利な第１状態から有利な第２状態に移行し、再び不利な第１状態に移行するまでを云い、当り遊技において予め決定された継続回数のラウンド遊技が繰返されるようになっている。また、ラウンド遊技において第１状態から第２状態への移行は、第１状態から第２状態へ移行してからの第２状態の継続時間(特別入賞口５２の開放時間)、または第２状態での特別入賞口５２へのパチンコ球の入賞数(規定個数)の何れかが、予め設定された値となったことを条件として行われる。
【００５６】
実施例のパチンコ機１０では、前述したように特殊入賞口３４ａを備えた特殊入賞装置３４および特別入賞口５２を備えたサイド装飾体３８を第２経路３０ｂに臨むように配置し、特殊入賞口３４ａを開放する第１当り遊技および特別入賞口５２を開放する第２当り遊技が付与された場合に、パチンコ球を第２経路３０ｂへ打ち出す「右打ち」を実行することで、特殊入賞口３４ａや特別入賞口５２の入賞率が高くなる遊技者にとって有利な遊技を享受させ得るよう構成されている。また、実施例のパチンコ機１０は、当り遊技終了後に遊技者に有利な遊技状態として特典遊技状態(変短状態)を付与する機能を備えている。この特典遊技状態としては、前記第２始動入賞口３６ｂへのパチンコ球の入賞契機が、当該特典遊技状態が付与されていない状態と較べて増加する入賞率向上状態であり、第２経路３０ｂに第２球通過ゲート３９ｂおよび第２始動入賞口３６ｂに向けてパチンコ球を案内可能なサイド装飾体３８を配置した実施例の盤面構成では、特典遊技状態が付与された場合に「右打ち」を実行することで、当該特典遊技状態に係る特典を効率的に享受させ得るよう構成されている。
【００５７】
(実施例の作用)
次に、前述のように構成された実施例に係るパチンコ機１０の作用につき説明する。
【００５８】
前記前枠１３の前面側に設けられた前記操作ハンドル１６の操作レバー１６ａを遊技者が回転操作すると、前記打球発射装置から発射されたパチンコ球が前記遊技盤２０に設けた案内レール２２により画成された発射通路２３を介して遊技領域２０ａ内に打ち出される。このとき、前記操作レバー１６ａの回動量に応じてパチンコ球の打ち出し位置が変化し、打ち出し位置に応じて遊技領域２０ａの第１経路３０ａまたは第２経路３０ｂをパチンコ球が流下する。
【００５９】
前記第１経路３０ａを流下する「左打ち」となるようにパチンコ球が打ち出され、該第１経路３０ａを流下するパチンコ球が前記球導入部３２に通入すると、該パチンコ球は前記ステージ３１に通出される。このパチンコ球は、ステージ３１上を左右に転動した後、枠状装飾体２９の下方の遊技領域２０ａに排出される。球導入部３２に通入することなく第１経路３０ａを流下するパチンコ球が前記上側案内連釘２７上に落下すると、該パチンコ球は上側案内連釘２７上を前記始動入賞装置３５の第１始動入賞口３６ａに向けて案内されて、該第１始動入賞口３６ａに入賞可能となる。なお、上側案内連釘２７上を流下する途中に隙間２７ａから下側案内連釘２８上に落下したパチンコ球は、該下側案内連釘２８上を始動入賞装置３５の第２始動入賞口３６ｂに向けて案内される。また、下側案内連釘２８に設けた隙間２８ａを落下したパチンコ球は、前記第１普通入賞口３７ａに入賞可能となる。そして、始動入賞口３６ａ,３６ｂおよび第１普通入賞口３７ａに入賞しなかったパチンコ球は、前記第１アウト口２４から機外に排出される。
【００６０】
前記ステージ３１から遊技領域２０ａに排出されたパチンコ球や、上側案内連釘２７で始動入賞装置３５に向けて案内されたパチンコ球が前記第１球通過ゲート３９ａを通過すると、該パチンコ球の通過を球通過検出スイッチが検出する。球通過検出スイッチから球検出信号が前記制御手段に入力されると、該制御手段は、普図当りか否かを判定する普図当り抽選を実行する。そして、普図当り抽選の結果が当選の場合は、制御手段は前記始動入賞ソレノイドを駆動制御することで前記開閉部材３５ｂを開閉動作する。これにより、始動入賞装置３５の第２始動入賞口３６ｂへのパチンコ球の入賞が可能となる。
【００６１】
前記パチンコ機１０において、前記当り遊技が付与されるか、または特典遊技状態となった場合に、前記操作ハンドル１６の操作レバー１６ａを回転操作して打球発射装置によるパチンコ球の打球力を高め、前記第２経路３０ｂに向けてパチンコ球を打ち出す「右打ち」を行うと、該右打ちに際して第２経路３０ｂに打ち出されたパチンコ球は、前記枠状装飾体２９と第３盤面保護部材２１ｃとの間の第２経路３０ｂを流下する。第２経路３０ｂを流下するパチンコ球が第２球通過ゲート３９ｂを通過すると、該パチンコ球の通過を球通過検出スイッチが検出する。球通過検出スイッチから球検出信号が前記制御手段に入力されると、該制御手段は、普図当りか否かを判定する普図当り抽選を実行する。そして、普図当り抽選の結果が当選の場合は、制御手段は前記始動入賞ソレノイドを駆動制御することで前記開閉部材３５ｂを開閉動作する。これにより、始動入賞装置３５の第２始動入賞口３６ｂへのパチンコ球の入賞が可能となる。なお、前記特殊入賞口３４ａが開放する第１当り遊技が付与されている場合では、前記第２経路３０ｂを流下するパチンコ球が高確率で特殊入賞口３４ａに入賞し、多くの賞球が獲得可能となる。
【００６２】
(サイド装飾体３８の作用)
前記第２経路３０ｂを流下して前記サイド装飾体３８に設けられた前記第１転動面部４３ａ上に落下したパチンコ球は、該第１転動面部４３ａ上を左方に転動し、前記サイド案内連釘５９上に移り、前記隙間５９ａから落下した場合は、前記第２普通入賞口４５や第２アウト口４７に入球可能となる。第２普通入賞口４５にパチンコ球が入賞すると、該パチンコ球は前記普通球受け通路部４４および球案内樋４６を介してセーフ球用排出経路に誘導されて機外に排出されると共に、所定数の賞球が払い出される。これに対し、第２アウト口４７にパチンコ球が入球すると、該パチンコ球は前記第１球案内通路４８を左側から右側に転動して第２球案内通路５０に通入し、該第２球案内通路５０の出口から遊技領域２０ａに通出される。第２球案内通路５０の出口は、図３に示す如く、前記右下部案内連釘４０ｂの下方で開口しており、該出口から通出されたパチンコ球は前記第１アウト口２４から機外に排出される。第１球案内通路４８および該通路４８を画成する上側壁４２ｂや案内壁４２ｃは、前記第１発光装置５６の発光体５６ｂの点灯によって照明されており、該第１球案内通路４８をパチンコ球が転動する様子が遊技者から見易くなっていることで、遊技の興趣を高めることができると共に、賞球が得られない第２アウト口４７にパチンコ球が入球したことに対する落胆度合を抑え得る。
【００６３】
前記サイド案内連釘５９の隙間５９ａから落下することなく該サイド案内連釘５９上を流下するパチンコ球は、サイド案内連釘５９の最下流端から前記第３転動面部４３ｃ上に落下し、該第３転動面部４３ｃ上を左方に転動する。そして、第３転動面部４３ｃを転動するパチンコ球は、その勢い等によって前記第３アウト口４９に入球したり、または第３アウト口４９を飛び越えて第４転動面部４３ｄに移る。第３アウト口４９に入球したパチンコ球は、前記第２球案内通路５０を流下し、前記右下部案内連釘４０ｂの下方の遊技領域２０ａに通出されて第１アウト口２４から機外に排出される。
【００６４】
前記第４転動面部４３ｄに移ったパチンコ球は、前記開閉部材５４が閉位置に位置してる場合(第１当り遊技や特典遊技状態)では、該開閉部材５４と張出し部５５との間の球通路６１に通入し、該開閉部材５４の上面を転動して第５転動面部４３ｅに至る。そして、球通路６１の出口から通出するパチンコ球は、前記右下部案内連釘４０ｂ上に落下する。右下部案内連釘４０ｂは、図３に示す如く、前記始動入賞装置３５に設けた右側の球案内部３５ｃに向けて下方傾斜しているので、該右下部案内連釘４０ｂ上を流下するパチンコ球は右側の球案内部３５ｃに向けて案内され、前記第２始動入賞口３６ｂが開放されている場合には入賞可能となる。すなわち、サイド装飾体３８の球通路６１から通出されるパチンコ球は、右下部案内連釘４０ｂおよび右側の球案内部３５ｃによって第２始動入賞口３６ｂに向けて案内されるようになっているので、前記特典遊技状態にあっては該特典遊技状態による特典を遊技者に効率的に享受させ得る。
【００６５】
前記開閉部材５４が開位置に位置して特別入賞口５２を開放する第２当り遊技中においては、前記第４転動面部４３ｄに移って球通路６１に通入したパチンコ球は、特別入賞口５２に入賞可能となる。実施例のサイド装飾体３８では、特別入賞口５２の上流側に複数のアウト口４７,４９を設けているので、前記第１転動面部４３ａ上に落下したパチンコ球がアウト口４７,４９に入球するかしないかに対する関心を高め、遊技の興趣を向上し得る。また、前記開閉部材５４は、閉位置で第４転動面部４３ｄ(転動面４３)に連続しているので、該開閉部材５４が開位置に変位して特別入賞口５２が開放された状態では、第４転動面部４３ｄを転動してくるパチンコ球の殆どを特別入賞口５２に入賞させることができる。すなわち、アウト口４７,４９に入球しなかったパチンコ球は、遊技者にとって有益な特別入賞口５２へ入賞するので、該アウト口４７,４９に入球しなかったパチンコ球に対する関心を引き続き高めることができる。
【００６６】
実施例のパチンコ機１０では、前記第２経路３０ｂを特殊入賞装置３４の下方まで流下したパチンコ球が、前記球通路６１を画成する張出し部５５と下庇部２９ｄとの対向部間を通過しないように構成してある。従って、第２当り遊技中において特殊入賞装置３４の下方まで流下したパチンコ球は、前記第２アウト口４７、第２普通入賞口４５および第３アウト口４９に入球したもの以外は、全て球通路６１に通入するので、該口４７,４５,４９にパチンコ球が入球したとしても、特別入賞口５２に規定個数のパチンコ球を確実に入賞させることができる。すなわち、特別入賞口５２の上流側に複数のアウト口４７,４９を設けて、特別入賞口５２に至るパチンコ球の数を調節可能な構成(パチンコ球が間引かれる構成)を採用したもとで、第２当り遊技中に特別入賞口５２に規定個数のパチンコ球が入賞しないという遊技者にとって不利益となる事態が発生するのを防ぐことができる。
【００６７】
前記サイド装飾体３８は、第２普通入賞口４５、特別入賞口５２、第２アウト口４７および第３アウト口４９を備えて一体で扱い得るよう構成されており、該サイド装飾体３８を前記遊技盤２０に形成した第５装着口に取り付けることで、第２普通入賞口４５、特別入賞口５２、第２アウト口４７および第３アウト口４９を遊技盤２０に対して位置決めすることができる。すなわち、第２普通入賞口４５、特別入賞口５２、第２アウト口４７および第３アウト口４９を設けた遊技部品を個々に取り付けるための装着口を遊技盤２０に設ける必要はなく、遊技部品を取り付けるために遊技盤２０に施す加工工数を低減して製造コストを低廉に抑えることができる。また、遊技盤２０にサイド装飾体３８を取り付けるだけで、第２普通入賞口４５、特別入賞口５２、第２アウト口４７および第３アウト口４９を遊技盤２０に組み付けることができるので、組み付け工数を低減して遊技部品の組み立てに要する手間を軽減し得る。
【００６８】
前記サイド装飾体３８に設けた第２アウト口４７、第２普通入賞口４５、第３アウト口４９および特別入賞口５２は、図４に示す如く、前記転動面４３に沿って一列に並んでいるので、該転動面４３を転動するパチンコ球がどの口４７,４５,４９,５２に入球するのかに対する関心を高め、遊技の興趣を向上し得る。
【００６９】
実施例では、「右打ち」によってパチンコ球が打ち出される第２経路３０ｂ(枠状装飾体２９より右側下部)に、第２アウト口４７、第２普通入賞口４５、第３アウト口４９および特別入賞口５２を設けたサイド装飾体３８を配設してあるので、右打ちされたパチンコ球の動きに対する関心を高めることができる。
【００７０】
(変更例)
本願は前述した実施例の構成に限定されるものではなく、その他の構成を適宜に採用することができる。
(1) 実施例では、サイド装飾体(基部材)を枠状装飾体より右側下部に設けた場合で説明したが、枠状装飾体より左側下部において内レール(レール部材)に隣接するように配置してもよい。そして、サイド装飾体(基部材)を内レール(レール部材)に隣接して配置した構成では、前構成部材(基部材)に設けられる転動面は、パチンコ球を左側から右側に転動するように右下方傾斜するよう構成すればよい。
(2) 実施例のサイド装飾体における特別入賞口(特定入賞口)より上流側に設けられる２つのアウト口と第２普通入賞口との順序については、第２アウト口より上流側に第２普通入賞口を設ける構成、第３アウト口より下流側に第２普通入賞口を設ける構成を採用することができる。
(3) 実施例では、サイド装飾体(基部材)に２つのアウト口を設けたが、アウト口は１つでも３つ以上であってもよい。また、入賞口(第２普通入賞口)についても、１つに限らず２つ以上設ける構成を採用し得る。そして、アウト口および入賞口を複数ずつ設ける構成では、転動面におけるパチンコ球の流下方向での各口の順序は任意に設定可能である。
(4) 実施例では、第２アウト口および第３アウト口に入球したパチンコ球を、球案内通路を流下した後に遊技領域に通出して第１アウト口を介して機外に排出するよう構成したが、第２アウト口および第３アウト口に入球したパチンコ球が遊技盤の裏側に通出する通路をサイド装飾体に設け、遊技盤の裏側に配設される設置部材に設けた排出通路を介してパチンコ球を機外に排出する構成を採用し得る。
【００７１】
(5) 実施例では、枠状装飾体の下庇部と張出し部との離間間隔を、パチンコ球が通過可能な寸法としたが、下庇部と張出し部との離間間隔をパチンコ球１個分より小さく設定することで、下庇部と張出し部との対向部間をパチンコ球が左右方向に通過し得ないようにしてもよく、この構成によれば遊技釘の調節等を不要とし得る。
(6) 実施例では、サイド装飾体(基部材)に形成される転動面に関し、第２アウト口と第２普通入賞口との間に位置する第２転動面部については、他の転動面部とは反対向きに下方傾斜するようにしたが、全ての転動面部を同じ向きで下方傾斜するようにしてもよい。
(7) 実施例では、分割可能な本体と前構成部材とから基部材を構成した場合で説明したが、基部材は本体と前構成部材とが一体に構成されたものであってもよい。
(8) 遊技機としては、パチンコ機に限られるものではなく、アレンジボール機やパチンコ球を用いたスロットマシン等、その他各種の遊技機であってもよい。
【符号の説明】
【００７２】
１７ 図柄表示装置
１７ａ 表示部
２０ 遊技盤
２０ａ 遊技領域
２１ｃ 第３盤面保護部材(レール部材)
２２ 案内レール(レール部材)
２９ 枠状装飾体
２９ａ 窓口(開口部)
４１ 本体(基部材)
４２ 前構成部材(基部材)
４２ｃ 案内壁
４３ 転動面
４５ 第２普通入賞口(入賞口)
４７ 第２アウト口(アウト口)
４８ 第１球案内通路(球案内通路)
４９ 第３アウト口(アウト口)
５２ 特別入賞口(特定入賞口,特定入賞部)
５４ 開閉部材(特定入賞部)
５５ 張出し部
５６ 第１発光装置(発光装置)
６１ 球通路
【図１】
2015097765.tif 000003
【図２】
2015097765.tif 000004
【図３】
2015097765.tif 000005
【図４】
2015097765.tif 000006
【図５】
2015097765.tif 000007
【図６】
2015097765.tif 000008
【図７】
2015097765.tif 000009
【図８】
2015097765.tif 000010